(57)【要約】【課題】照明装置の発光素子の光と太陽光等の外光の双方を受けるように光センサが配置され、外光受光状態となる昼間での動作チェックが正確に行える照明装置を提供する。特に、発光素子の光と太陽光の双方を受けるように光センサが配置される屋外設置型として好適な照明装置を提供する。【解決手段】発光素子と、前記発光素子の発光による照度と周囲の外光による照度とを検知するよう配置された光センサと、前記光センサが検出する照度に基づき前記発光素子の点灯及び消灯を制御する点灯制御回路部を備え、前記点灯制御回路部は、前記発光素子を点灯させるよう指令する点灯指令の入力部を備え、前記点灯制御回路部は、前記発光素子が消灯状態に係らず前記点灯指令に基づき前記発光素子を点灯状態とする、照明装置である。【選択図】図６
2018049694.tif 000002
【特許請求の範囲】
【請求項１】
発光素子と、前記発光素子の発光による照度と周囲の外光による照度とを検知するよう配置された光センサと、前記光センサが検出する照度に基づき前記発光素子の点灯及び消灯を制御する点灯制御回路部を備え、
前記点灯制御回路部は、前記発光素子を点灯させるよう指令する点灯指令の入力部を備え、
前記点灯制御回路部は、前記発光素子が消灯状態に係らず前記点灯指令に基づき前記発光素子を点灯状態とする、
ことを特徴とする照明装置。
【請求項２】
前記点灯制御回路部は、前記発光素子を間欠点灯させるための間欠パルスを供給する電源部と、前記間欠パルスの間欠区間で前記光センサが検出する照度に基づき前記発光素子の点灯及び消灯を制御する制御部とを備え、
前記制御部は、前記入力部を備える、
ことを特徴とする請求項１に記載の照明装置。
【請求項３】
発光素子と、前記発光素子の発光による照度と周囲の外光による照度とを検知するよう配置された光センサと、前記発光素子の点灯及び消灯を制御する点灯制御回路部と、前記商用電力の停電時に使用される蓄電池と、を備え、
前記点灯制御回路部は、前記発光素子を点灯させるよう指令する点灯指令の入力部と、前記光センサが検出する照度に基づき前記発光素子の点灯及び消灯を制御すると共に前記商用電力の停電時に前記発光素子が前記蓄電池の電力にて動作するよう制御する制御手段を備え、
前記点灯制御回路部は、前記発光素子が消灯状態に係らず前記点灯指令に基づき前記発光素子を点灯状態とする、
ことを特徴とする照明装置。
【請求項４】
前記発光素子、前記光センサ、及び前記点灯制御回路部が本体に収容され、
前記本体には、前記点灯指令の発信部としてスイッチを備える、
ことを特徴とする請求項１乃至請求項３のいずれかに記載の照明装置。
【請求項５】
下側面が開いた内部空間を有する本体を備え、
前記内部空間は、前部に、下側面にレンズ部材で覆われる状態で発光素子が配置された光源用基板と、前記発光素子の発光による照度と周囲の外光による照度とを検知するよう配置された光センサとを備え、
前記内部空間は、後部に、前記発光素子の点灯及び消灯を制御する点灯制御回路部と、前記商用電力の停電時に使用される蓄電池と、を備え、
前記本体は、消灯状態にある前記発光素子を強制的に点灯状態とするための点灯指令を発するスイッチを備え、
前記点灯制御回路部は、前記発光素子が消灯状態に係らず前記点灯指令に基づき前記発光素子を点灯状態とする制御と、前記商用電力の停電時に前記発光素子が前記蓄電池の電力にて動作するよう制御する、
ことを特徴とする照明装置。
【請求項６】
前記スイッチは、前記本体の外側から操作可能な手動操作スイッチである、
ことを特徴とする請求項４または請求項５に記載の照明装置。
【請求項７】
前記スイッチは、前記本体の外側から磁石にて開閉操作可能に前記本体内に設けたリードスイッチである、
ことを特徴とする請求項４または請求項５に記載の照明装置。
【請求項８】
前記本体は、後部に支柱等への取り付け部を備え、
前記手動操作スイッチは、前記取り付け部近傍に前記本体の外側から操作可能配置である、
ことを特徴とする請求項６に記載の照明装置。
【請求項９】
前記手動操作スイッチの操作部は、外力に対して前記取り付け部がガードとなる配置である、
ことを特徴とする請求項８に記載の照明装置。
【請求項１０】
前記発光素子、前記光センサ、及び前記点灯制御回路部が本体に収容され、
前記本体には、前記本体外から手動操作スイッチが着脱自在に接続される接続部を備え、
前記接続部が前記点灯制御回路部に備える点灯指令の入力部に接続された、
ことを特徴とする請求項１乃至請求項３のいずれかに記載の照明装置。
【請求項１１】
前記点灯指令は、照明装置から離れた場所から無線または赤外線にて発信される送信信号であり、
前記照明装置は、前記点灯制御回路部の入力部に接続される前記送信信号の受信部を備える、
ことを特徴とする請求項１乃至請求項３のいずれかに記載の照明装置。
【発明の詳細な説明】
【技術分野】
【０００１】
本発明は、周囲の明暗を光センサで検出して発光素子の点灯制御を行う照明装置に関する。
【背景技術】
【０００２】
照明器具の周囲の明暗照度を光センサが検知することにより、点灯制御部が照明器具の発光素子として、ＬＥＤ（Light Emitting Diode＝発光ダイオード）を採用し、このＬＥＤが点灯するか消灯するかを制御する照明装置において、照明器具の周囲の照度が低下し所定の暗照度を光センサ（照度センサともいう）が検知することにより、照明器具内の発光素子であるＬＥＤが点灯するが、この点灯したＬＥＤの光が光センサに届き所定の明照度以上の照度を検知すればＬＥＤが消灯する。そして、その消灯による低下した照度を再び光センサが検知すれば再びＬＥＤが点灯し、その光を光センサが検知して再びＬＥＤが消灯する。このようなＬＥＤの点灯・消灯が繰り返される、所謂自己点滅動作を行う虞がある。
【０００３】
また、屋外設置の道路灯等の照明器具は、照明器具の取り付け部を支柱等に取り付けた状態で、光センサの検知とその検知による点灯制御回路が正常に動作するか否かを確認する作業を行う。
照明器具の形態が、ＬＥＤを配列したＬＥＤ基板が金属製の本体の下側開口に対面して配置され、このＬＥＤとＬＥＤ基板を覆うように本体の下側開口を透光性カバーで覆う形態である場合、前記作業を日中の天空照度（外光照度）が高い状態で行う際、外光（周囲光）が光センサへ入らないように光センサの周囲を遮光部材で覆っても、外光が透光性カバーを透過して照明器具内に入り、それが光センサに届いて誤動作し、光センサと点灯制御回路が正常に動作するか否かの確認ができない虞がある。
【０００４】
照明器具の一つである防犯灯は、ＬＥＤ素子の発光によって路面等を照射するために、照明器具の取り付け部を支柱等に取り付け、その取り付け状態において、周囲の明暗を光センサで検知し、ＬＥＤの発光制御を行うものがある（特許文献１）。
【０００５】
特許文献１の光センサ（受光センサと称している）は、図１、図５、図７、図９に示されるように、自動点滅基板７１の上下切欠きに遮光部材７３の一端の自動点滅基板収納凹部７３ａが嵌り合い、遮光部材７３の他端を本体１に形成した溝１４ａに嵌め込み、点灯制御装置６が本体１に固定されるとき、自動点滅スイッチの底部６１と本体１に形成した基板固定用スリット１８ａ〜１８ｄによって自動点滅基板７１が挟持され、遮光部材７３が本体１に固定される。
【０００６】
このような特許文献１の光センサ（受光センサと称している）の本体１への取り付けは、以下のようなことが想定される。即ち、
自動点滅基板７１の上下切欠きに遮光部材７３の一端の自動点滅基板収納凹部７３ａが嵌り合うため、この部分からの光の侵入を防止するためには、隙間ない組み合わせとする必要があるが、そのようにすれば組み立てがし難く作業性が悪い。
また、遮光部材７３の他端を本体１に形成した溝１４ａに嵌め込むため、この部分からの光の侵入を防止するためには、隙間ない組み合わせとする必要があるが、そのようにすれば組み立てがし難く作業性が悪い。
更に、点灯制御装置６の本体１への固定に伴って、自動点滅基板７１が挟持され遮光部材７３が本体１に固定されるため、組み立てがし難く作業性が悪い。
このように光センサ（受光センサと称している）へ侵入する不要な外光を遮るために、多くの部品の構成が必要となり、組み立てが複雑である。
【０００７】
また、防犯灯または街路灯において、照明用発光素子部としてＬＥＤを備え、このＬＥＤが発生する光が光センサによる検出に影響する場合でも、周囲の明るさを安定して検出でき、ＬＥＤの点灯及び消灯を正常に制御できるようにするために、光センサによって検出される検出値と、予め設定されている閾値とに基づいて電源電圧変換部を制御すると共に、ＬＥＤの点灯後には光センサによって検出される検出値または予め設定されている閾値を補正する方式がある（特許文献２）。
【先行技術文献】
【特許文献】
【０００８】
【特許文献１】特開２０１４ー１２７２４７号公報
【特許文献２】特開２０１３ー２０１０１０号公報
【発明の概要】
【発明が解決しようとする課題】
【０００９】
特許文献２では、特許文献１のような複雑な構成が不要となり、また、自己のＬＥＤの発光した光を光センサが検出しても、それによるＬＥＤの消灯は防げるであろう。しかし、屋外に設置するＬＥＤ照明器具において、照明器具の設置が終わった後の動作チェックを正確に行うための技術の開示はない。
【００１０】
照明器具の発光素子の光と太陽光の双方を受けるように光センサが配置された屋外設置型の照明器具にあっては、一般的に照明器具の設置工事は昼間に行われるため、照明器具の設置工事が終わった後、照明器具が正常に点灯制御されるかのチェックも昼間に行われる。
昼間は光センサが太陽光を受けるため、発光素子が点灯するか否かのチェックは、光センサが太陽光を受光しないように遮ることにより、照明器具の発光素子が点灯することを確認する必要があるが、この遮りが不十分である場合は発光素子が点灯せず、発光素子が点灯するか否かのチェックができない。このため、太陽光が光センサで受光されないように黒色カバー等を用いて遮光する作業が必要となるが、黒色カバー等の用意も含めて、この作業が支柱の上部に登った状態で行うため結構面倒である。
【００１１】
本発明は、このような点に鑑み、光センサが発光素子であるＬＥＤの点灯時照度を受けないようにする遮蔽部材を設けることなく、発光素子の光と太陽光等の外光の双方を受ける状態に光センサを配置できるようにして、発光素子の配置の自由度を上げることができるようにし、且つ、発光素子の点灯時照度を検出しても自己点滅動作を行うことなく安定した動作が得られる照明装置とし、特に、外光受光状態となる昼間での発光素子の点灯動作チェックが正確に行える照明装置を提供する。
特に、照明装置の発光素子の光と太陽光の双方を受けるように光センサが配置される屋外設置型として好適な防犯灯または街路灯と称する照明装置を提供する。
【００１２】
このため、本発明は、照明装置の設置工事が終わった後、照明装置の発光素子が正常に点灯制御されるかのチェックを開始するときの点灯指令を点灯制御回路部に供給する手段を設け、この点灯指令に基づき点灯制御回路部が発光素子へ点灯電力を供給し、上記のような黒色カバー等で光センサへの外光を遮光することなくして、発光素子の点灯をチェックできるようにする。
【００１３】
本発明は、照明器具の光源である発光素子として、ＬＥＤのみならず、有機ＥＬ（Electro Luminescence）、無機ＥＬ（Electro Luminescence）、半導体レーザ等の半導体発光素子であってもよい。
【課題を解決するための手段】
【００１４】
第１の本発明の照明装置は、
発光素子と、前記発光素子の発光による照度と周囲の外光による照度とを検知するよう配置された光センサと、前記光センサが検出する照度に基づき前記発光素子の点灯及び消灯を制御する点灯制御回路部を備え、
前記点灯制御回路部は、前記発光素子を点灯させるよう指令する点灯指令の入力部を備え、
前記点灯制御回路部は、前記発光素子が消灯状態に係らず前記点灯指令に基づき前記発光素子を点灯状態とする、
ことを特徴とする。
【００１５】
第２の本発明の照明装置は、前記第１において、
前記点灯制御回路部は、前記発光素子を間欠点灯させるための間欠パルスを供給する電源部と、前記間欠パルスの間欠区間で前記光センサが検出する照度に基づき前記発光素子の点灯及び消灯を制御する制御部とを備え、
前記制御部は、前記入力部を備える、
ことを特徴とする。
【００１６】
第３の本発明の照明装置は、
発光素子と、前記発光素子の発光による照度と周囲の外光による照度とを検知するよう配置された光センサと、前記発光素子の点灯及び消灯を制御する点灯制御回路部と、前記商用電力の停電時に使用される蓄電池と、を備え、
前記点灯制御回路部は、前記発光素子を点灯させるよう指令する点灯指令の入力部と、前記光センサが検出する照度に基づき前記発光素子の点灯及び消灯を制御すると共に前記商用電力の停電時に前記発光素子が前記蓄電池の電力にて動作するよう制御する制御手段を備え、
前記点灯制御回路部は、前記発光素子が消灯状態に係らず前記点灯指令に基づき前記発光素子を点灯状態とする、
ことを特徴とする。
【００１７】
第４の本発明の照明装置は、前記第１乃至第３のいずれかにおいて、
前記発光素子、前記光センサ、及び前記点灯制御回路部が本体に収容され、
前記本体には、前記点灯指令の発信部としてスイッチを備える、
ことを特徴とする。
【００１８】
第５の本発明の照明装置は、
下側面が開いた内部空間を有する本体を備え、
前記内部空間は、前部に、下側面にレンズ部材で覆われる状態で発光素子が配置された光源用基板と、前記発光素子の発光による照度と周囲の外光による照度とを検知するよう配置された光センサとを備え、
前記内部空間は、後部に、前記発光素子の点灯及び消灯を制御する点灯制御回路部と、前記商用電力の停電時に使用される蓄電池と、を備え、
前記本体は、消灯状態にある前記発光素子を強制的に点灯状態とするための点灯指令を発するスイッチを備え、
前記点灯制御回路部は、前記発光素子が消灯状態に係らず前記点灯指令に基づき前記発光素子を点灯状態とする制御と、前記商用電力の停電時に前記発光素子が前記蓄電池の電力にて動作するよう制御する、
ことを特徴とする。
【００１９】
第６の本発明の照明装置は、前記第４または第５において、
前記スイッチは、前記本体の外側から操作可能な手動操作スイッチである、
ことを特徴とする。
【００２０】
第７の本発明の照明装置は、前記第４または第５において、
前記スイッチは、前記本体の外側から磁石にて開閉操作可能に前記本体内に設けたリードスイッチである、
ことを特徴とする。
【００２１】
第８の本発明の照明装置は、前記第６において、
前記本体は、後部に支柱等への取り付け部を備え、
前記手動操作スイッチは、前記取り付け部近傍に前記本体の外側から操作可能配置である、
ことを特徴とする。
【００２２】
第９の本発明の照明装置は、前記第８において、
前記手動操作スイッチの操作部は、外力に対して前記取り付け部がガードとなる配置である、
ことを特徴とする。
【００２３】
第１０の本発明の照明装置は、前記第１乃至第３のいずれかにおいて、
前記発光素子、前記光センサ、及び前記点灯制御回路部が本体に収容され、
前記本体には、前記本体外から手動操作スイッチが着脱自在に接続される接続部を備え、
前記接続部が前記点灯制御回路部に備える点灯指令の入力部に接続された、
ことを特徴とする。
【００２４】
第１１の本発明の照明装置は、前記第１乃至第３のいずれかにおいて、
前記点灯指令は、照明装置から離れた場所から無線または赤外線にて発信される送信信号であり、
前記照明装置は、前記点灯制御回路部の入力部に接続される前記送信信号の受信部を備える、
ことを特徴とする。
【発明の効果】
【００２５】
本発明は、発光素子の発光による照度と照明装置周囲の外光による照度とを検知するよう光センサが配置された照明装置において、光センサが検出する照度に基づき発光素子の点灯及び消灯を制御する点灯制御回路部は、発光素子を点灯させるよう指令する点灯指令の入力部を備え、この点灯指令に基づき発光素子が消灯状態に係らず発光素子を点灯状態とするものである。
このため、照明装置の設置工事が終わった後、制御部へ供給される点灯指令に基づき、発光素子が消灯状態であっても点灯状態となるため、昼間であっても、光センサの検出動作とそれに基づく発光素子
の点灯をチェックできることとなり、設置工事終了後の動作チェックがし易く、且つ照明装置の構成を簡素化できるものとなる。
【００２６】
また、点灯制御回路部へ供給される点灯指令を手動操作スイッチや、リードスイッチや、照明装置から離れた場所から無線または赤外線にて発信する送信信号によって行うようにすれば、照明装置を設置した時の発光素子の点灯チェック作業が行い易くなる。
【００２７】
また、他の方式として、照明装置に点灯チェック用の受信部を設け、点灯指令を照明装置から離れた場所から無線や赤外線等によって送信して点灯チェックを開始する方式とする。この方式では、点灯指令の送信部は、この照明装置専用のリモートコントローラ（略してリモコンという）か、スマートフォンのような携帯端末機器から送信する遠隔送信部で構成することにより、支柱に登ることなく地上において点灯チェックが可能となる。
【図面の簡単な説明】
【００２８】
【図１】本発明に係る照明装置の縦断側面図である。
【図２】本発明に係る照明装置の分解斜視図である。
【図３】本発明に係る照明装置の透光性カバーを取り外した状態の下方から視た斜視図である。
【図４】本発明に係る照明装置の透光性カバーを取り外した状態の下方から視た図である。
【図５】本発明に係る照明装置の後方から視た斜視図である。
【図６】本発明に係る照明装置の動作に係るブロック図である。
【図７】本発明に係る照明装置のスイッチＯＮ状態で強制的に点灯する第１の方式の動作フローを示す図である。
【図８】本発明に係る照明装置のタイマにより強制的に点灯する第２の方式の動作フローを示す図である。
【図９】第２実施例の本発明に係る照明装置の本体縦断面による側面図である。
【図１０】第２実施例の本発明に係る照明装置の透光性カバーを取り外した状態の下方から視た図である。
【図１１】第２実施例の本発明に係る照明装置の後方から視た図である。
【発明を実施するための形態】
【００２９】
本発明の照明装置は、発光素子と、前記発光素子の発光による照度と周囲の外光による照度とを検知するよう配置された光センサと、前記光センサが検出する照度に基づき前記発光素子の点灯及び消灯を制御する点灯制御回路部を備え、
前記点灯制御回路部は、前記発光素子を点灯させるよう指令する点灯指令の入力部を備え、
前記点灯制御回路部は、前記発光素子が消灯状態に係らず前記点灯指令に基づき前記発光素子を点灯状態とする構成である。
以下、本発明の実施形態として、発光素子を複数のＬＥＤで構成したものについて、図面を参照して説明する。
【実施例１】
【００３０】
本発明の照明装置１は、その代表的な一つの構成として、防犯灯または街路灯と称して歩道や公園等の照明用として用いられるものであり、内部に照明用の発光素子２としてのＬＥＤと、発光素子２用の電力を供給する電源部３と、発光素子２の発光による照度と照明装置周囲の外光による照度とを検知するよう配置された光センサ４と、光センサ４が検出する照度に基づき発光素子２の点灯及び消灯を制御する制御部とを備え、発光素子２が消灯状態に係らず、人為的に形成される点灯指令に基づき発光素子２を点灯状態とするよう制御するものである。電源部３と制御部５とで点灯制御回路部を構成する。
【００３１】
照明装置１は、前後方向に長い形態であり、下側に開口６Ａを形成して下側面が開いた内部空間６Ｂを有する本体６と、開口６Ａを塞ぐように開口６Ａの周縁部にネジＮ１にて本体６に取り外し可能に取り付けまたは開口６Ａを塞ぐように本体６の一部に蝶番にて開閉可能に取り付けられた透光性カバー７を備え、後部には本体６から後方へ延び支柱等への取り付け部８を有する。
【００３２】
内部空間６Ｂの前部領域には、開口６Ａ部分に沿って本体６のボスにネジＮ２にて４隅で取り付けられる前後に長い矩形状の平板状の光源用基板９を備え、この光源用基板９の下側面には、前後方向に所定の間隔を存して１列６個のＬＥＤで構成する発光素子２が左右対称状態に２列配置される。また、光源用基板９の下側面には、これら発光素子２と間隔を存して光センサ４が配置され、図示のものは、光センサ４は、発光素子２よりも後方位置で光源用基板９の後部に発光素子２と所定間隔を存して配置されている。光センサ４は発光素子２の光を受けないように遮断する構成ではないため、光センサ４は発光素子２の発光による照度と、透光性カバー７を通して照明装置１の周囲の外光による照度とを検知する。
【００３３】
このように、光源用基板９の下側面に発光素子２と間隔を存して光センサ４が配置されることによって、光センサ４と発光素子２を別個の基板に配置する場合に比して、光センサ４が、発光素子２の発光による照度と、透光性カバー７を通して周囲の外光による照度とを検知することに適し、且つ、照明装置１の組み立ての簡素化及び部品数の低減による低コスト化に適する。
【００３４】
内部空間６Ｂの後部領域には、点灯制御回路部を構成する電源部３と制御部５とを収容している。電源部３は、商用電力ライン１５による電力供給または蓄電池６０による電力供給により発光素子２用の電力を供給する。制御部５は、光センサ４の受光に基づく検出値を予め設定した消灯閾値及び点灯閾値と比較することにより発光素子２の点灯及び消灯を制御する制御部５である。このため、後述のように、点灯制御回路部は、光センサ４が検出する照度に基づき発光素子２の点灯及び消灯を制御する作用部である。
電源部３と制御部５とは、それらを構成する電子部品１１が、１枚の回路基板１０にプリント配線された配線に電気的接続にて配置され、回路基板１０は本体６のボスにネジＮ３によって取り付けられる。電源部３と制御部５とを別個の基板に配置する場合に比して、照明装置１の組み立ての簡素化及び部品数の低減による低コスト化に適する。
【００３５】
回路基板１０及び電子部品１１の下側が保護カバー１２によって覆われている。保護カバー１２は金属板か不透明状態の合成樹脂板で構成され、保護カバー１２は本体６のボスにネジＮ４によって取り付けられる。これは、回路基板１０及び電子部品１１に作業者が触れることによる感電を防ぐと共に、透光性カバー３を通して外部から回路基板１０及び電子部品１１が見えないようにする効果もある。
なお、回路基板１０を電気絶縁シートで覆うことにより、回路基板１０の電子部品１１を雷によるサージ電圧から保護できる。
【００３６】
光源用基板９の下側面に重ね合わせ状態にレンズ体１３が、本体６のボスにネジＮ５によって取り付けられる。レンズ体１３は、前後に長い矩形状の平板状基板部１３Ｂに発光素子２ごとに対応し所定の配光を形成するレンズ部１３Ａが一体形成された透光性の板状である。
なお、図３に示すように、平板状基板部１３Ｂを後方へ延長して光センサ４を覆うセンサ被覆部１３Ｃを一体形成することにより、光センサ４を外力から保護できる。
【００３７】
本体６の後壁に左右一対で形成された取り付け部８の間の部分に形成した配線孔６Ｆに防水用の弾性シール材１４が嵌合され、この弾性シール材１４を貫通して商用電源ライン１５が配線される。商用電源ライン１５の先端のコネクタ１６が回路基板１０に取り付けたコネクタ１７に接続されることにより、電源部３に電力が供給される。
【００３８】
電源部３は、商用電源ライン１５から供給される交流電力を直流電力に変換するＡ／Ｄ回路１８と、この直流電力を発光素子２へ供給する間欠パルスの電力に変換する点灯電力供給部１９と、前記直流電力を光センサ回路２１と制御部５に供給する定電圧回路２０とを備える。図６は、回路動作の説明上、定電圧回路２０を別個に示している。これによって、発光素子２は、点灯電力供給部１９から出力されるハイレベルとローレベルが交互に繰り返される矩形波形の間欠パルスのハイレベル期間によって、間欠的に発光素子２が点灯（間欠パルスのハイレベル期間で点灯）する構成である。
このパルスの周波数は、発光素子２を見る人がちらつきを感じない程度の周波数であり、回路的に生成し易くするために、５０Ｈｚまたは６０Ｈｚの２倍以上の整数倍でよいが、５００Ｈｚ未満では人の視覚神経の関係から気分が悪く感じる虞が指摘されることから、１ＫＨｚ乃至２ＫＨｚを用いることが好ましい。
【００３９】
Ａ／Ｄ回路１８の直流は、定電圧回路２０を介して光センサ回路２１と制御部５に供給される。制御部５は、マイクロコンピュータ制御方式であり、動作プログラム、基準情報、入力情報、出力情報等を格納する必要なメモリ、及び比較動作手段等を備え、入力情報の入力部５Ｎを備える。光センサ回路２１は制御部５によって制御され、光センサ４の検出に基づく照度情報（照度検出信号）を制御部５へ入力として供給する。このため、光センサ回路２１は制御部５の一部分を構成する。図６は、回路動作の説明上、光センサ回路２１を別個に示している。
【００４０】
制御部５の入力部５Ｎは、発光素子２を強制的に点灯させるよう照明装置１の外部から指令する点灯指令の入力部であり、制御部５の入力部である。この点灯指令の発信部としての一つの方式が、発光素子２の点灯チェック用スイッチである。このスイッチの一つの形態として、本体６の外側から操作可能な手動操作スイッチ２２を設ける。手動操作スイッチ２２は、本体６の後壁の取り付け孔６Ｇに嵌合させた防水用の弾性シール材２３内に収容され、弾性シール材２３内に収容された状態で、押圧操作部２２Ａが本体６の外側に露出しており、本体６の外側から押圧操作部２２Ａを操作可能である。
【００４１】
手動操作スイッチ２２は、取り付け部８の近傍配置となるようにするために、図５に示すように、手動操作スイッチ２２は本体２の後壁の取り付け部８に近接した位置に形成されている。具体的には、取り付け部８の外側で取り付け部８に近接した位置である。これによって、手動操作スイッチ２２の操作部２２Ａは、取り付け部８の外側配置であるため、外力に対して取り付け部８がガードとなる配置となる。このため、照明装置１の運搬時や、取り付け部８を介して支柱等に照明装置１を取り付ける際や、支柱等に照明装置１を取り付けた後において、手動操作スイッチ２２の操作部２２Ａを外力から保護できる。更に、支柱等に照明装置１を取り付ける設置作業の終了後に作業者によって容易に操作可能である。
【００４２】
手動操作スイッチ２２は、照明装置１の設置終了後に、発光素子２の点灯状態を確認するための点灯指令を制御部５へ発するために、作業者等によって操作されるものである。このため、手動操作スイッチ２２から延びるリード線２４の先端のコネクタ２５は、制御部５の入力部５Ｎ側のコネクタ２６に接続されており、操作部２２Ａの押圧によって接点が閉じて、発光素子２を点灯させるよう指令する点灯指令が制御部５の入力部５Ｎに入力される。
【００４３】
点灯電力供給部１９の出力側にコネクタ２９で接続したリード線２７の先端のコネクタ２８は、発光素子２に接続したコネクタ３０に接続される。コネクタ３０は、光センサ４よりも後方位置で光源用基板９の後部に設けられる。
また、光センサ回路２１の入力側にコネクタ３１で接続したリード線３２の先端のコネクタ３３は、光センサ４に接続したコネクタ３４に接続される。コネクタ３４は、光センサ４よりも後方位置で光源用基板９の後部領域に設けられ、コネクタ３０と横並び配置である。
【００４４】
制御部５及び電源部３から発生するノイズがリード線３２に乗って光センサ回路２１へ入り、それによって制御部５の動作に障害が齎される虞があるため、これを解決するために、リード線３２の長さが短くなる配線とする。
この達成として、光センサ４の照度検出信号が制御部５へ入力するためのリード線３２が、光源用基板９と回路基板１０の双方の近接端部間に亘る配線とする。このため、内部空間６Ｂに前後配置された光源用基板９の後端部と回路基板１０の前端部が近接配置となり、光センサ４に接続したコネクタ３４を光源用基板９の後部に設け、光センサ回路２１の入力側に接続するコネクタ３１を回路基板１０の前部に設ける。
これによって、光源用基板９と回路基板１０に亘るリード線３２の長さが短くなり、リード線３２による前記ノイズを拾う範囲が少なくなり、好ましいものとなる。図ではリード線３２がクランク状に屈曲しているが、短くするためには略直線状の配線が好ましい。
【００４５】
光センサ４は、発光素子２の光と照明装置１の周囲の外光の両方を同時に検出する構成であるため、光センサ４での検出が正確に行えるようにするために、発光素子２が点灯モードであっても照明装置１の周囲の外光のみを検出する方式としている。
このため、光センサ４で検出する照度に基づき発光素子２の点灯及び消灯を制御する方式は、上記のように、発光素子２が点灯モードにおいては、点灯電力供給部１９から出力される間欠パルスのハイレベル期間によって、間欠的に発光素子２が点灯（間欠パルスのハイレベル期間で点灯）する。
この間欠パルスの周波数は、人間の目ではちらつきを感じない程度に高い周波数であり、間欠パルスのハイレベル期間での点灯を１００％発光とし、間欠パルスのローレベル期間では、０％発光（消灯）とする。
そして、光センサ４が検出する照度は、間欠パルスのローレベル期間で検出する照度とするように、制御部５によって制御される。
【００４６】
照明装置１の設置が終了し、すべての配線が終了し、接続されたコネクタ１６とコネクタ１７を通して商用電源ライン１５から交流電力が供給され、照明装置１が正規の動作をする通常状態においては、昼間の明るいときは、照明装置１の外光である太陽光の光が光センサ４で検出され、光センサ４で検出する照度が大であるため、光センサ４の検出に基づく照度情報が制御部５に設定した消灯閾値よりも大となる。このため、制御部５は点灯電力供給部１９が発光素子２へ点灯出力を出力しないように制御し、発光素子２は消灯モードである。
【００４７】
時刻の経過によって夕刻になり、光センサ４で検出する照度に基づく照度情報が制御部５に設定した点灯閾値よりも小または以下となることによって、制御部５は点灯電力供給部１９が発光素子２へ点灯出力を出力するように制御し、発光素子２は点灯モードとなる。この時の光センサ４で検出する点灯時照度は、例えば３０ルクスとする。
この点灯モードは、点灯電力供給部１９から出力される間欠パルスによって間欠的に発光素子２が点灯（間欠パルスのハイレベル期間で点灯）される。この間欠パルスの周波数は、発光素子２を見る人がちらつきを感じることのない１００Ｈｚ以上であり、実施例では１ＫＨｚ〜２ＫＨｚである。
【００４８】
夜間の点灯モードでは、光センサ４は発光素子２の消灯期間の照度を検出する（間欠パルスの間欠区間であるローレベル期間で検出する）。この間欠区間は、発光素子２の消灯区間であり、この消灯区間では太陽が沈み光センサ４で検出する照度は極めて低く、制御部５に設定した消灯閾値よりも十分小であるため、制御部５は点灯電力供給部１９が発光素子２へ点灯出力を出力する制御状態を維持する。
このように、発光素子２が点灯モードとなる夜間では、光センサ４は発光素子２の消灯期間において外光の照度を検出するが、夜間では太陽光の検出照度は殆んどゼロであり、実質的に発光素子２の点灯照度も検出しないため、光センサ４で検出する照度は消灯閾値よりも十分小となり、制御部５は点灯電力供給部１９が発光素子２へ点灯出力を出力する制御状態を維持し、発光素子２は夜間において所期の点灯モードを継続する。
【００４９】
時間の経過によって夜明けになると、照明装置１の周囲の外光が上昇し、間欠パルスの間欠区間で検出する光センサ４の検出照度が上昇する。この間欠パルスの間欠区間で光センサ４が検出する照度情報を制御部５に設定した消灯閾値と比較して、光センサ４で検出する照度に基づく照度情報が制御部５に設定した消灯閾値よりも大または以上となれば、制御部５は点灯電力供給部１９が発光素子２を消灯モードとするように制御し、発光素子２は消灯状態となる。この時の光センサ４で検出する消灯時照度は、光センサ４で検出する上記点灯時照度よりも高く、例えば１２０ルクスとする。
【００５０】
再び夜間においては上記同様にして発光素子２が点灯モードとなる。
上記のように、発光素子２が点灯モードであっても、光センサ４が発光素子２の消灯時の照度を検出するように、間欠パルスの間欠区間であるマイナス期間で検出する方式によって、光センサ４を外光から遮断する特別な遮蔽構造とする必要がなくなる。
【００５１】
照明装置１の設置が終了した段階で、光センサ４の動作及び発光素子２の発光が正常か否かのチェックを行う必要がある。すべての配線が終了し、照明装置１が正規の動作をする通常状態が夜間であれば、光センサ４の検出に基づき発光素子２が発光するため、その動作確認ができるが、昼間では発光素子２が消灯状態となるため、光センサ４の動作及び発光素子２の発光が正常か否かのチェックを行うためには、強制的に発光素子２を発光させる手段が必要である。
このため、本発明は、昼間に設置工事が終了したとき、手動操作スイッチ２２の操作によって強制的に発光素子２を発光させる点灯モードとなる。
【００５２】
昼間に照明装置１の設置が終了し、その段階で、手動操作スイッチ２２の操作部２２Ａを押圧して接点を閉じた状態を保っている間、制御部５の動作によって発光素子２を強制的に点灯する第１の方式を図７に示す。
図７において、昼間に設置工事者による照明装置１の設置が終了し、商用電源ライン１５から電源電力が供給された（ステップＳ１）段階で、ＬＥＤである発光素子２は消灯状態である（ステップＳ２）。この状態で、発光素子２の点灯確認が必要か否かを設置工事者が判断し（ステップＳ３）、Ｙｅｓなら設置工事者が手動操作スイッチ２２の操作部２２Ａを押圧して接点を閉じる（ステップＳ４）。
この状態で以下、制御部５の動作が行われる。即ち、操作部２２Ａの押圧により強制的点灯指令が制御部５の入力部５Ｎに入力され、点灯電力供給部１９から発光素子２へ間欠パルスが出力され、発光素子２は点灯モードとなり発光素子２が点灯する（ステップＳ５）。
この点灯を目視にて確認することにより、設置が終了した照明装置１の動作確認ができる。
【００５３】
照明装置１の動作確認が終了した後、操作部２２Ａの押圧が解除することにより（ステップＳ６）、制御部５の入力部５Ｎへの強制的点灯指令がなくなり、照明装置１は電源電力が供給された通常動作状態となる。
この状態で、光センサ４は昼間の外光を検出した状態であるため、制御部５の動作によって点灯電力供給部１９から発光素子２への間欠パルスの出力が停止し、発光素子２が消灯する消灯モードとる（ステップＳ７）。
【００５４】
この消灯モードにおいて光センサ４が検出する昼間の照度情報が光センサ回路２１を通して制御部５へ読み込まれ（ステップＳ８）、光センサ４が検出する照度情報が点灯閾値よりも小または以下かが判定される（ステップＳ９）。昼間の状態であれば光センサ４が検出する照度情報は点灯閾値よりも大または以上であり、判定結果はＮｏであるため、点灯電力供給部１９から発光素子２の点灯出力である間欠パルスは出力されず、発光素子２は消灯である（ステップＳ７）。
【００５５】
時刻の経過によって夕刻になり、光センサ４で検出する照度に基づき光センサ回路２１から制御部５へ入力される照度情報が、制御部５に設定した点灯閾値よりも小または以下となることによって判定結果はＹｅｓであり、発光素子２を点灯させる点灯モードとなる（ステップＳ１０）。これにより、制御部５は点灯電力供給部１９が発光素子２へ点灯出力である間欠パルスを出力するように制御し、発光素子２は点灯する。
【００５６】
光センサ４は、上記のように、間欠パルスの間欠区間で照度を検出する。この間欠パルスの間欠区間に検出する照度情報が光センサ回路２１を通して制御部５へ読み込まれる（ステップＳ１１）。この照度情報が消灯閾値よりも大または以上かが判定され（ステップＳ１２）、ＮｏならステップＳ１０へ移行し、大または以上ならＹｅｓでありステップＳ１３へ移行する。ステップＳ１３で消灯状態パルスが所定値に達したか否かが判断され、ＮｏならステップＳ１０へ移行し発光素子２が点灯モードを継続する。Ｙｅｓなら消灯モードのステップＳ７へ移行し、以降のステップを上記同様に辿る制御となる。
ステップＳ１３での判断は、後述のような外乱判定手段による判定ステップであり、後述のように、制御部５が備える外乱判定用タイマ手段により、自動車のヘッドライト等によって光センサ４が一時的に高い照度を受けるような外乱が生じる場合でも、所定時間内では発光素子２を消灯することなく安定して点灯状態を維持する手段である。このため、ステップＳ１３において、光センサ４が自動車のヘッドライト等の外光を受ける継続時間が、外乱判定用タイマ手段に定めた所定時間以内か否かの判定が行われ、前記継続時間がこの所定時間以内または未満であればＮｏとなり、所定時間を超えるか以上であればＹｅｓとなる動作が行われる。
【００５７】
次に、昼間に照明装置１の設置が終了し、その段階で、手動操作スイッチ２２の操作部２２Ａを１回押圧してその押圧を直ぐに解除（瞬時ＯＮ操作の所謂ワンプッシュ）したときから、制御部５の動作によって所定時間に発光素子２が正常に点灯するか否かをチェックする第２の方式を図８に基づき説明する。
図８において、昼間に設置工事者による照明装置１の設置が終了し、商用電源ライン１５から電源電力が供給された（ステップＳ１）段階で、ＬＥＤである発光素子２は消灯状態である（ステップＳ２）。この状態で、発光素子２の点灯確認が必要か否かを設置工事者が判断し（ステップＳ３）、Ｙｅｓなら設置工事者が手動操作スイッチ２２の操作部２２Ａをワンプッシュして接点を閉じる（ステップＳ４）。この状態で以下、制御部５の動作が行われる。即ち、操作部２２Ａのワンプッシュにより強制的点灯指令が制御部５の入力部５Ｎに入力され、制御部５のタイマ手段が動作し、所定時間点灯電力供給部１９から発光素子２へ間欠パルスが出力され、発光素子２は点灯モードとなり発光素子２が点灯する（ステップＳ５）。
【００５８】
この点灯を目視にて確認することにより、設置が終了した照明装置１の動作確認ができる。このためタイマ手段が動作する所定時間は、不必要に長くする必要はなく、発光素子２の点灯状態を目視確認するための十分可能な時間であればよく、実施例では３０秒としている。
【００５９】
タイマ手段に定めた３０秒が経過することにより、制御部５の入力部５Ｎへの強制的点灯指令がなくなり、照明装置１は電源電力が供給された通常動作状態となる。
この状態で、光センサ４は昼間の外光を検出した状態であるため、制御部５の動作によって点灯電力供給部１９から発光素子２への間欠パルスの出力が停止し、発光素子２が消灯する消灯モードとる（ステップＳ６）。
【００６０】
この消灯モードにおいて光センサ４が検出する昼間の照度情報が光センサ回路２１を通して制御部５へ読み込まれ（ステップＳ７）、光センサ４が検出する照度情報が点灯閾値よりも小または以下かが判定される（ステップＳ８）。昼間の状態であれば光センサ４が検出する照度情報は点灯閾値よりも大または以上であり、判定結果はＮｏでありステップＳ６へ移行する。
【００６１】
時刻の経過によって夕刻になり、光センサ４で検出する照度に基づき光センサ回路２１から制御部５へ入力される照度情報が、制御部５に設定した点灯閾値よりも小または以下となることによって判定結果はＹｅｓであり、発光素子２を点灯させる点灯モードとなる（ステップＳ９）。これにより、制御部５は点灯電力供給部１９が発光素子２へ点灯出力である間欠パルスを出力するように制御し、発光素子２は点灯する。
【００６２】
光センサ４は、間欠パルスの間欠区間に検出する照度情報が光センサ回路２１を通して制御部５へ読み込まれる（ステップＳ１０）。この照度情報が消灯閾値よりも大または以上かが判定され（ステップＳ１１）、ＮｏならステップＳ９へ移行し、大または以上ならＹｅｓでありステップＳ１２へ移行する。ステップＳ１２で消灯状態パルスが所定値に達したか否かが判断され、ＮｏならステップＳ９へ移行し発光素子２が点灯モードを継続する。ＹｅｓならステップＳ６へ移行し、以降のステップを上記同様に辿る制御となる。
ステップＳ１２での判断は、後述のような外乱判定手段による判定ステップであり、後述のように、制御部５が備える外乱判定用タイマ手段により、自動車のヘッドライト等によって光センサ４が一時的に高い照度を受けるような外乱が生じる場合でも、所定時間内では発光素子２を消灯することなく安定して点灯状態を維持する手段である。このため、ステップＳ１２において、光センサ４が自動車のヘッドライト等の外光を受ける継続時間が、外乱判定用タイマ手段に定めた所定時間以内か否かの判定が行われ、前記継続時間がこの所定時間以内または未満であればＮｏとなり、所定時間を超えるか以上であればＹｅｓとなる動作が行われる。
【００６３】
点灯指令の発信部として、発光素子２の点灯チェック用スイッチの他のスイッチ形態として、リードスイッチがある。これは図６に示すように、制御部５の入力部５Ｎに接続されるリードスイッチ４０を本体６の内部空間６Ｂに取り付け、本体６の外側から磁石にてリードスイッチ４０を開閉操作可能とする。
この場合、発光素子２が正常に点灯するか否かのチェックは、リードスイッチ４０を閉じる操作によって、上記第１の方式または第２の方式と同様に行うことができる。
【００６４】
また、点灯指令の発信部として、発光素子２の点灯チェック用スイッチの他のスイッチ形態として、本体６には、本体６の外側から手動操作スイッチ２２Ｐが着脱自在に接続される接続部４１を備え、接続部４１が制御部５に備える点灯指令の入力部５Ｎに接続される構成とする。この場合、手動操作スイッチ２２Ｐは手動操作スイッチ２２と同様の形態とすればよい。なお、接続部４１は開閉可能な蓋またはキャップで覆うことにより、防水と防塵の効果を得る。
この場合、発光素子２が正常に点灯するか否かのチェックは、手動操作スイッチ２２Ｐを接続部４１に接続した状態で、操作部を押圧することにより、上記第１の方式または第２の方式と同様に行うことができる。
【００６５】
また、点灯指令の発信部として、発光素子２の点灯チェック用スイッチの他のスイッチ形態として、本体６の内部空間６Ｂ内に手動操作スイッチ２２と同様のスイッチを設け、透光性カバー７を開いて操作部２２Ａを操作可能な形態とする。
この場合、光素子２が正常に点灯するか否かのチェックは、手動操作スイッチ２２の操作部を押圧することにより、上記第１の方式または第２の方式と同様に行うことができる。
【００６６】
また、点灯指令の発信部としての他の形態として、照明装置１から離れた場所から無線または赤外線にて発信される送信信号方式である。この場合、照明装置１は、制御部５の入力部５Ｎに接続される送信信号の受信部４２を備える。そして、送信信号は、スマートフォンのような携帯端末や、点灯チェック専用の赤外線式リモートコントローラから発信される構成である。
この場合、発光素子２が正常に点灯するか否かのチェックは、携帯端末やリモートコントローラから送信信号を送り、これが受信部４２で受信されることにより、上記第１の方式または第２の方式と同様に行うことができる。
【００６７】
点灯電力供給部１９から発光素子２へ供給する発光素子２の点灯用パルスの周波数が５００Ｈｚ未満の場合、例えば、商用電源周波数が５０Ｈｚまたは６０Ｈｚの場合において、点灯電力供給部１９から出力される点灯用パルスの形成のし易さから、商用電源周波数の２倍または３倍の周波数の点灯用パルスとする場合は、人の目にはちらつきを感じないが、人の視覚神経の関係から気分が悪く感じる虞がある。
これを防止するために、点灯用パルスの周波数が５００Ｈｚ未満の場合、光センサ４が照度を検出する間欠パルスの間欠区間（発光素子２の消灯区間である間欠パルスのローレベル区間）は、ゼロ発光状態とならない低発光状態を維持するようにする。
即ち、発光素子２の点灯区間である間欠パルスのハイレベル区間を１００％発光状態（このときの電圧を１００％）とすれば、それの５％〜３０％の低発光状態（５％〜３０％の電圧）となるように、間欠パルスの電圧を点灯電力供給部１９から発光素子２へ供給する。
【００６８】
これによって、発光素子２は、間欠パルスの点灯区間（間欠パルスのハイレベル期間）で１００％の発光状態となり、間欠パルスの間欠区間（間欠パルスのローレベル期間）で５％〜３０％の通電状態の低発光状態となる。この５％〜３０％の通電状態は、人が見ても点灯していることが気づかない程度であり、人の視覚神経の関係から気分が悪く感じられる虞が解消され、設置環境に優しい照明装置１となる。
【００６９】
また、自動車のヘッドライトや雷等の所謂外乱によって、照明装置が直ちに消灯しないような外乱判定手段を備える制御方式とする。
即ち、発光素子２が点灯モードである夜間において、自動車のヘッドライトによって光センサ４が一時的に高い照度を受けるような外乱が生じる場合でも、直ぐに発光素子２を消灯することなく安定して点灯状態を維持する制御方式とする。
このため、制御部５は、外乱判定用タイマ手段を備え、所定時間内に光センサ４の検出照度に基づく照度情報が、制御部５に設定した上記消灯閾値よりも大となっても、点灯電力供給部１９から発光素子２へ点灯用パルスを送信し続けるようにする。これを繰り返す。
【００７０】
その一つの方式として、光センサ４が検出する照度は、間欠パルスのローレベル期間で検出する照度とするように制御部５によって制御するものとし、制御部５は、間欠パルスの一つのハイレベルまたは一つのローレベルからタイマＯＮ（タイマスタート）してクロックパルスのカウントを開始し、所定のカウントに達するまで（これを外乱判定用タイマ手段の判定期間という）は、光センサ４で検出する照度に基づく照度情報が、制御部５に設定した上記消灯閾値よりも大となっても、点灯電力供給部１９から発光素子２へ点灯用パルスを送信し続けるようにする。
【００７１】
この判定期間が終了した時は再びタイマＯＮ（タイマスタート）してクロックパルスのカウントを開始し、同様に動作を繰り返すようにする。これによって、発光素子２が点灯モードである夜間において、自動車のヘッドライト等によって光センサ４が一時的に高い照度を受けるような外乱が生じる場合でも、所定時間のうちは発光素子２を消灯することなく安定して点灯状態を維持することができる。
【００７２】
このような判定動作は、上記のように図７のステップＳ１３、並びに図８のステップＳ１２における判定動作であり、上記のように、自動車のヘッドライト等によって光センサ４が一時的に高い照度を受けるような外乱が生じる場合でも、所定時間内では発光素子２を消灯することなく安定して点灯状態を維持する手段である。
【実施例２】
【００７３】
図９乃至図１１に第２実施例を示す。
実施例２が実施例１と異なるところについて、以下に説明する。実施例２において実施例１と同様の部分には、実施例１と同様の符号を付し、その説明は実施例１を援用する。
【００７４】
実施例２では、本体６の開口６Ａ部分に沿って配置され開口６Ａの周縁部に接触状態で以って、本体６に形成した取り付けボスにネジＮ６にて取り付けた前後に長い平板状の金属製取り付け板５０を設ける。本体６の内部空間６Ｂの前部領域に対応して、この取り付け板５０を放熱板として取り付け板５０の下側面に、光源用基板９の下側面に光源用基板９と略同じ平面積のレンズ体１３を重ね合わせた状態で、ネジＮ７によって取り付け板５０に取り付けている。これによって、発光素子２の発熱を光源用基板９を通して取り付け板５０に伝達し、取り付け板５０から本体６へ伝達し、本体６から放散させる。このため、取り付け板５０は放熱板として作用する。
【００７５】
また、本体６の内部空間６Ｂの後部領域に対応して、この取り付け板５０の上側面に、取り付け板５０の一部を切り起こし形成した支持部５１を立ち上げ、この支持部５１に回路基板１０をネジＮ８によって取り付けている。これによって、取り付け板５０の上側面に間隔を存して回路基板１０が並行状態に、内部空間６Ｂの後部領域に配置される。これによって、回路基板１０のアースラインが支持部５１を通して形成されるが、アースライン形成の確実性のために、回路基板１０と取り付け板５０及び本体６とを結ぶアースライン５３は、その一端が後部のネジＮ６にて取り付けられ、他端が回路基板１０のアースラインに接続されている。
【００７６】
また、光源用基板９の前部下面に配置するコネクタ３０は、レンズ体１３の平板状基板部１３Ｂの孔を貫通し、これに対応して基板部１３Ｂに形成したカバー部１３Ｂ１にて覆われる。また、光源用基板９の後部下面に配置するコネクタ３４は、レンズ体１３の平板状基板部１３Ｂの孔を貫通し、これに対応して基板部１３Ｂに形成したカバー部１３Ｂ２にて覆われる。
実施例２の構成も、光センサ４の照度検出信号が制御部５へ入力するためのリード線３２が、光源用基板９と回路基板１０の双方の近接端部間に亘る配線である。即ち、コネクタ３０にコネクタ２８が接続され、コネクタ３４にリード線３２の一端のコネクタ３３が接続され、リード線３２の他端のコネクタ３１が回路基板１０の前部で光センサ回路２１の入力側に接続され、光センサ４の照度検出信号が制御部５へ入力するラインが形成される。
これによって、回路基板１０の制御部５から光源用基板９へ亘るリード線３２の長さが短くなり、リード線３２による前記ノイズを拾う範囲が少なくなり、好ましいものとなる。
【００７７】
また、商用電源ライン１５の停電用として使用される蓄電池６０を備える。蓄電池６０は、本体６の内部空間６Ｂの後部領域に取り付けられ、その位置は回路基板１０の上方である。
【００７８】
制御部５は、商用電源ライン１５から供給される交流電力が一時的停電しても、直ぐに発光素子２を消灯することなく安定して点灯状態を維持する制御方式とする。
このため、制御部５は、商用電力の停電を検出し、停電時に発光素子２が蓄電池６０の電力にて動作するよう制御する制御手段を備える。蓄電池６０は、商用電源ライン１５の交流電力によって充電されるように充電回路（図示せず）を介して配線されており、蓄電池６０の電力は定電圧回路６１を介して電源部３の点灯電力供給部１９、光センサ回路２１及び制御部５へ供給される。
蓄電池６０を電源とする動作は、商用電源の場合の実施例１と同様である。
なお、取り付け板５０と回路基板１０との間に電気絶縁シートを配置することにより、回路基板１０の電子部品１１と取り付け板５０との電気的絶縁を達成する。また、蓄電池６０と回路基板１０との間に電気絶縁シートを配置することにより、蓄電池６０と回路基板１０との電気的絶縁を達成する。
【００７９】
照明装置１は、例えば、実施例２において、回路基板１０が光源用基板９の上方位置の配置となる配置でもよい。その一つとして、支持部５１と同様に取り付け板５０の一部を切り起こし形成し、これに回路基板１０をネジで取り付けるようにした形態とし、本体６の内部空間６Ｂの後部領域に蓄電池６０を収容する形態とし、上記実施例１と同様の動作をするように構成する。
この場合も、光センサ４の照度検出信号が制御部５へ入力するためのリード線３２が、光源用基板９と回路基板１０の双方の近接端部間に亘る配線とすることにより、リード線３２による前記ノイズを拾う範囲が少なくすることができる。
【００８０】
即ち、このように回路基板１０が光源用基板９の上方位置の配置となる照明装置１において、光センサ４を発光素子２よりも前方位置にて光源用基板９に取り付けることでもよい。この場合、リード線３２による前記ノイズを拾う範囲を少なくするために、光源用基板９側の光センサ４用コネクタ３４を光源用基板９の光センサ４近傍で前部領域に配置し、制御部５側のコネクタ３１を回路基板１０の前部領域に配置し、リード線３２の先端のコネクタ３３をコネクタ３４に接続するようにすれば、回路基板１０の制御部５から光源用基板９へ配線されるリード線３２が短くなり、リード線３２による前記ノイズを拾う範囲が少なくなり、好ましいものとなる。
なお、光源用基板９と回路基板１０との間に電気絶縁シートを配置することにより、光源用基板９と回路基板１０との電気的絶縁を達成する。また、回路基板１０を電気絶縁シートで覆うことにより、回路基板１０の電子部品１１を雷によるサージ電圧から保護できる。
【００８１】
また、照明装置１の構造として、実施例１及び実施例２の形態における透光性カバー７を設けず、光源用基板９の下側を覆うレンズ体１３が露出状態の形態であってもよい。
例えば、実施例１に関しては、光源用基板９とレンズ体１３が周縁部に環状パッキンを介して水密状態で重ね合わされ、この重合体が本体６の下側の開口６Ａの周縁部にパッキンを介して水密状態にネジで取り付けられた形態とする。また、保護カバー１２は、前記重合体に水密状態で連接され、本体６の下側の開口６Ａの周縁部にパッキンを介して水密状態にネジで取り付けられた形態とし、上記実施例１と同様の動作をするものであってもよい。
【００８２】
本発明は、上記実施形態に係らず、本発明の趣旨を逸脱しない範囲で種々の形態を包含する。
【符号の説明】
【００８３】
１          照明装置
２          発光素子
３          電源部
４          光センサ
５          制御部
５Ｎ        制御部の入力部
６          本体
７          透光性カバー
８          取り付け部
９          光源用基板
１０        回路基板
１１        電子部品
１３        レンズ体
１５        商用電源ライン
１９        点灯電力供給部
２１        光センサ回路
２２        手動操作スイッチ
２２Ｐ      手動操作スイッチ
２２Ａ      押圧操作部
３２        リード線
３４        コネクタ
４０        リードスイッチ
４１        手動操作スイッチ２２Ｐの接続部
４２        受信部
【図１】
2018049694.tif 000003
【図２】
2018049694.tif 000004
【図３】
2018049694.tif 000005
【図４】
2018049694.tif 000006
【図５】
2018049694.tif 000007
【図６】
2018049694.tif 000008
【図７】
2018049694.tif 000009
【図８】
2018049694.tif 000010
【図９】
2018049694.tif 000011
【図１０】
2018049694.tif 000012
【図１１】
2018049694.tif 000013